(57)【特許請求の範囲】
【請求項１】
Ｕ字状バルブに、複数の口金ピンが突出するランプ口金が設けられた片口金型ランプが口金対向壁部に対して斜め方向に着脱自在に接続されるランプソケットであって、
前記複数の口金ピンが夫々挿通する複数の口金ピン挿通孔が形成された前記口金対向壁部を有するソケット本体と、
前記ソケット本体内に収容され、前記口金ピン挿通孔を通った前記口金ピンと夫々接続する複数の端子金具と、
前記口金ピンにより破ることができるように周囲の他の領域よりも厚さが薄い薄肉部を有してシート状に形成されるとともに前記口金対向壁部に取付けられ、前記ランプが装着された状態で前記他の領域が前記ランプ口金の口金端面と前記口金対向壁部との間に挟まれて、前記複数の口金ピンをシールするシール部材と、
を具備したことを特徴とするランプソケット。
【請求項２】
シャーシと、
前記シャーシに設けられた点灯装置と、
前記シャーシに設けられた請求項１に記載の片口金型ランプソケットと、
前記ランプソケットに着脱自在に接続されるランプ口金を有し、且つ、この口金に接続されたＵ字状バルブを有して、前記点灯装置で点灯される片口金型ランプと、
を具備したことを特徴とする照明器具。
【請求項３】
Ｕ字状バルブに、複数の口金ピンが突出するランプ口金が設けられた片口金型ランプと、
前記複数の口金ピンが夫々挿通する複数の口金ピン挿通孔が形成された口金対向壁部を有するソケット本体及びこのソケット本体に収容され、前記口金ピン挿通孔を通った前記口金ピンと夫々接続する複数の端子金具を有して、前記ランプ口金が前記口金対向壁部に対して斜め方向に着脱自在に接続されるランプソケットと、
前記口金ピンにより破ることができるように周囲の他の領域よりも厚さが薄い薄肉部を有してシート状に形成されるとともに前記ランプ口金の前記口金ピンが突出した口金端面に取付けられ、前記ランプが前記ランプソケットに装着された状態で、前記他の領域が前記口金端面と前記口金対向壁部との間に挟まれて、前記複数の口金ピンをシールするシール部材と、
を具備したことを特徴とする照明器具。
【発明の詳細な説明】
【０００１】
【発明の属する技術分野】
本発明は、Ｕ字状のバルブを有した片口金型ランプと着脱自在に接続するランプソケット及びこのランプソケットを備えた照明器具に関する。
【０００２】
【従来の技術】
照明器具には、シャーシ、ランプソケット、ランプホルダ、点灯装置、片口金型ランプ等を備えているものがある。片口金型ランプは、Ｕ字状のバルブの一端部にのみ、４本の口金ピンが突出するランプ口金が設けられたものである。この片口金型ランプは、シャーシ内に収容されている点灯装置で点灯される。ランプソケットは、片口金型ランプのランプ口金と電気的・機械的に接続するものである。このランプソケットは、ランプ口金の端面と対向する口金対向壁部を有し、この口金対向壁部には、複数の口金ピンに夫々対応する複数の口金ピン挿通孔が形成されている。
【０００３】
この照明器具は、シャーシの一端部にランプソケットが取付けられているとともに、他端部にランプホルダが取付けられている。そして、ランプ口金の口金ピンをランプソケットの口金ピン挿通孔に挿通し、片口金型ランプの一端部とランプソケットとを着脱自在に接続するとともに、片口金型ランプの他端部をランプホルダにより支持して形成されている。
【０００４】
この照明器具は、一般に屋内で使用されている。これは、雨水等が当たる屋外で使用すると、ランプ口金とランプソケットとの間から雨水等が浸水し、口金ピンの絶縁不良を生じるおそれがあるからである。したがって、屋外等でも使用できる照明器具が求められているが、そのような照明器具は現状知られていない。
【０００５】
【発明が解決しようとする課題】
本発明が解決しようとする課題は、水分や埃に晒される環境下でも使用でき、汎用性が高いランプソケット及び照明器具を得ることにある。
【０００６】
【課題を解決するための手段】
請求項１に係る発明のランプソケットは、Ｕ字状バルブに、複数の口金ピンが突出するランプ口金が設けられた片口金型ランプが口金対向壁部に対して斜め方向に着脱自在に接続されるランプソケットであって、前記複数の口金ピンが夫々挿通する複数の口金ピン挿通孔が形成された前記口金対向壁部を有するソケット本体と、前記ソケット本体内に収容され、前記口金ピン挿通孔を通った前記口金ピンと夫々接続する複数の端子金具と、前記口金ピンにより破ることができるように周囲の他の領域よりも厚さが薄い薄肉部を有してシート状に形成されるとともに前記口金対向壁部に取付けられ、前記ランプが装着された状態で前記他の領域が前記ランプ口金の口金端面と前記口金対向壁部との間に挟まれて、前記複数の口金ピンをシールするシール部材と、を具備したことを特徴とする。
【０００７】
この発明において、シール部材は、例えばＥＰＤＭ（エチレンプロピレンジエン三元共重合体）やシリコンゴム等の耐浸水性、耐紫外線、耐熱性、及び電気絶縁性に優れた材料を好適に使用できる。
【０００８】
この発明のランプソケットは、ランプが装着された状態で、シール部材がランプ口金と口金対向壁部との間に挟まれて口金ピンをシールする。そのため、ランプ口金とランプソケットの間から水分や埃等が侵入することによる口金ピンの絶縁不良を防ぐことができる。
【０００９】
請求項２に係る発明の照明器具は、シャーシと、前記シャーシに設けられた点灯装置と、前記シャーシに設けられた請求項１に記載の片口金型ランプソケットと、前記ランプソケットに着脱自在に接続されるランプ口金を有し、且つ、この口金に接続されたＵ字状バルブを有して、前記点灯装置で点灯される片口金型ランプと、を具備したことを特徴とする。
【００１０】
この発明の照明器具は、ランプがランプソケットに装着された状態で、ランプソケットの口金対向壁部に取付けられたシール部材が、ランプ口金と口金対向壁部との間に挟まれて口金ピンをシールする。そのため、ランプ口金とランプソケットの間から水分や埃等が侵入することによる口金ピンの絶縁不良を防ぐことができる。
【００１１】
請求項３に係る発明の照明器具は、Ｕ字状バルブに、複数の口金ピンが突出するランプ口金が設けられた片口金型ランプと、前記複数の口金ピンが夫々挿通する複数の口金ピン挿通孔が形成された口金対向壁部を有するソケット本体及びこのソケット本体に収容され、前記口金ピン挿通孔を通った前記口金ピンと夫々接続する複数の端子金具を有して、前記ランプ口金が前記口金対向壁部に対して斜め方向に着脱自在に接続されるランプソケットと、前記口金ピンにより破ることができるように周囲の他の領域よりも厚さが薄い薄肉部を有してシート状に形成されるとともに前記ランプ口金の前記口金ピンが突出した口金端面に取付けられ、前記ランプが前記ランプソケットに装着された状態で、前記他の領域が前記口金端面と前記口金対向壁部との間に挟まれて、前記複数の口金ピンをシールするシール部材と、を具備したことを特徴とする。
【００１２】
この発明の照明器具は、ランプがランプソケットに装着された状態で、ランプ口金の口金端面に取付けられたシール部材が、ランプ口金の口金端面と口金対向壁部との間に挟まれて口金ピンをシールする。そのため、ランプ口金とランプソケットの間から水分や埃等が侵入することによる口金ピンの絶縁不良を防ぐことができる。
【００１３】
【発明の実施の形態】
以下、図１〜図４を参照して本発明の第１の実施形態を説明する。
【００１４】
この照明器具１は、反射笠付きのトラフ型照明器具であって、図１（Ａ）及び（Ｂ）に示したように、器具本体２、点灯装置５、片口金型ランプ１０、ランプソケット２０、ランプホルダ６等を備えている。この照明器具１は、器具本体２の長手方向の一端部にランプソケット２０が取付けられているとともに、長手方向の他端部にランプホルダ６が取付けられている。そして、片口金型ランプ１０の一端部に設けた後述するランプ口金１２とランプソケット２０とを着脱自在に接続するとともに、片口金型ランプ１０の他端部をランプホルダ６により支持して形成されている。
【００１５】
器具本体２は、図示しない点灯用の各種電気部品等が装着されたシャーシ３と、反射板、例えば反射笠４と、ソケット取付け台（図示せず）とから形成されている。シャーシ３は、例えば板金製であり、下面が開放した細長い箱状に形成されている。反射笠４もまた、例えば板金製であり、下面が開放する細長い箱状に形成されている。この反射笠４は、シャーシ３を下側から覆ってこのシャーシ３に取付けられている。反射笠４の長手方向の一端部及び他端部には、この反射笠４の幅方向に延びる夫々長方形状のランプソケット通孔及びランプホルダ通孔（ともに図示せず）が開けられている。ソケット取付け台は、シャーシ３の長手方向の一端部に配置されていて、図示しないねじを介してシャーシ３に固定されている。
【００１６】
点灯装置５は、いわゆる電子安定器と称される放電灯点灯装置が用いられている。この点灯装置５はシャーシ３の内部に収容されていて、図示しないねじを介してシャーシ３に固定されている。
【００１７】
片口金型ランプ１０（以下、単にランプと略称する）は、ランプホルダ６に支持される略Ｕ字管状バルブ１１の長手方向の一端部にランプ口金１２が設けられたものである。このランプ１０は点灯装置５で点灯される。ランプ口金１２については後述する。
【００１８】
ランプソケット２０は、反射笠４に設けられたランプソケット通孔を貫通して配置され、シャーシ３に設けられたソケット取付け台に図示しないねじを介して固定されている。このランプソケット２０については後で詳しく述べる。
【００１９】
ランプホルダ６は、反射笠４に設けられたランプホルダ通孔を貫通し、且つ、シャーシ３の長手方向の他端部に、このシャーシ３を抱持して配置されている。
【００２０】
次に、ランプ口金１２及びランプソケット２０について説明する。
【００２１】
ランプ口金１２は、図３に示したように、口金端面１２ａから見た形状が小判型をなし、かつ、口金端面１２ａに４本の口金ピン１３（２本のみ図示）を２列に等間隔で突出させている。このランプ口金１２の長手軸の周面の両端位置の外面、言い換えれば、ランプ口金１２の幅方向両端位置の外面に、一対の突起１２ｂが一体に突設されている。これらの突起１２ｂは将棋の駒形状をなしていて、口金ピン１３と反対方向の端部が先細状に尖っている。
【００２２】
ランプソケット２０は、図２及び図３に示したように、支持壁２３付きのソケット本体２１、連結部２５付きの蓋部２２、複数の端子金具２４、シール部材３０等を備えている。
【００２３】
ソケット本体２１には、ランプ口金１２の口金端面１２ａと対向する口金対向壁部２１ａに、４本の口金ピン１３が夫々挿通する４つの口金ピン挿通孔２１ｂが設けられている。口金対向壁部２１ａの長手方向両端には、これを厚み方向に貫通して通孔（図示せず）が設けられている。この通孔は、蓋部２２をソケット本体２１に固定するためのねじ２６を挿通するための孔であり、蓋部２２はこのねじ２６を介してソケット本体２１の裏側に固定されている。ソケット本体２１と蓋部２２とにより囲まれた空間、つまり端子収容室には、口金ピン挿通孔２１ｂに対向し、口金ピン１３を挟持してこの口金ピン１３と電気的・機械的に接続する４つの端子金具２４が収納されている。
【００２４】
支持壁２３は、小判形のソケット本体２１の長手軸で２分されたソケット本体２１の半面部のみを取り囲むように口金対向壁部２１ａから一体に延設されており、ランプ口金１２の半周に相当する部分に対応した形状に形成されている。この支持壁２３の両翼部２３ａには、ランプ口金１２の一対の突起１２ｂの縦半面を摺動させて案内しつつ、これら突起１２ｂと係合する係合溝２３ｂを設けて形成されている。
【００２５】
連結部２５は、支持壁２３の裏面に連続して設けられている。ランプソケット２０は、この連結部２５を通ってシャーシ３に設けられたソケット取付け台にねじ込まれる図示しないねじで固定されている。また、シャーシ３から延出する図示しない電線はこの連結部２５内に配線されて、電線通孔２５ａを通って端子金具２４に挿入して接続している。
【００２６】
シール部材３０は、図２において、理解を容易にするために平行斜線を付して示されている。このシール部材３０は、耐浸水性、耐紫外線、耐熱性に優れ、ランプ口金１２の口金端面１２ａとランプソケット２０の口金対向壁部２１ａとの間に配設しても劣化しにくい電気絶縁材料、例えばＥＰＤＭやシリコンゴム等からなる。このシール部材３０は、ランプソケット２０の口金対向壁部２１ａと略同形のシート状に形成されており、４つの口金ピン挿通孔２１ｂを囲む単一のピン通し部として、例えば四角形状の開口部３０ａが設けられている。このシール部材３０の長手方向両端には、厚み方向に貫通し、且つ、前記端子収容室に連通する通孔（図示せず）が設けられている。この通孔はソケット本体２１に蓋部２２を取付けるためのねじ２６を貫通させるものであり、ソケット本体２１に設けられた通孔の大きさと同程度の大きさに形成されている。このシール部材３０は、ソケット本体２１と蓋部２２とをねじ止めするのと同時に、ねじ２６の頭部とソケット本体２１の口金対向壁部２１ａとの間に挟まれ、口金対向壁部２１ａを略全面的に覆って、この壁部２１ａに固定される。
【００２７】
ランプ１０の一端部とランプソケット２０とを接続するには、以下のようにして行なう。図３において、ランプソケット２０の上側の開放部側よりランプ口金１２を斜め上方より導入させる（この導入方向を矢印Ａで示す）。これにより、図３中左側の口金ピン１３を同じく左側の口金ピン挿通孔２１ｂに挿入させるとともに、それと相前後してランプ口金１２の突起１２ｂが支持壁２３を係合溝２３ｂに沿って案内される。次に、この状態で、ランプ１０を図３中矢印Ｂ方向に回しながら押し込むことにより、図４に示すように、口金ピン１３は４本とも口金ピン挿通孔２１ｂを通ってソケット本体２１内に挿入され、端子金具２４の接触片に夫々挟持される。同時に、突起１２ｂの先端部が係合溝２３ｂの斜面に係合されてランプ１０とランプソケット２０とは接続状態となる。それにより、ランプ口金１２のランプソケット２０からの離脱が阻止される。なお、取付け手順と逆の手順により、ランプ１０はランプソケット２０から取外すことができる。
【００２８】
以上のようにランプ１０をランプソケット２０に取付けることで、シール部材３０はランプ口金１２の口金端面１２ａとランプソケット２０の口金対向壁部２１ａとの間に配設される。この場合、ランプ１０がソケット本体２１の口金対向壁部２１ａに押付けられるように取付けられるため、ランプ１０の口金端面１２ａがシール部材３０に密着し、この部材３０を弾性変形させながら、ランプソケット２０の口金対向壁部２１ａとの間に挟着する。同時に、シール部材３０は、口金対向壁部２１に密着する。そのため、図４に示すように、シール部材３０の開口部３０ａ内はシール部材３０の外部から水密に保たれて、口金ピン１３は隔離される。
【００２９】
以上のように、このランプソケット２０は、Ｕ字状バルブ１１に、４本の口金ピン１３が突出するランプ口金１２が設けられたランプ１０が着脱自在に接続されるランプソケット２０であって、４本の口金ピン１３が夫々挿通する４つの口金ピン挿通孔２１ｂが形成された口金対向壁部２１ａを有するソケット本体２１と、ソケット本体２１内に収容され、口金ピン挿通孔２１ｂを通った口金ピン１３と夫々接続する４つの端子金具２４と、口金ピン１３が通るピン通し部を有して口金対向壁部２１ａに取付けられ、ランプ１０が装着された状態でランプ口金１２と口金対向壁部２１ａとの間に挟まれて、４本の口金ピン１３をシールするシール部材３０とを具備したものである。この照明器具１では、ランプ１０がランプソケット２０に装着された状態で、ランプソケット２０の口金対向壁部２１ａに取付けられたシール部材３０が、ランプ口金１２の口金端面１２ａと口金対向壁部２１ａとの間に挟まれて口金ピン１３をシールする。そのため、ランプ口金１２とランプソケット２０の間から水や埃等が侵入するのを防ぐことができる。したがって、この照明器具１によれば、屋外或いは湿気の多い環境下、若しくは埃が多い環境下でも良好に使用することができ、汎用性が高い。そして、このような、防水・防塵機能は、片口金ランプ１０用のランプソケット２０であるため、バルブ１１の長さのばらつきに影響されずに発揮できる。
【００３０】
また、このランプソケット２０に具備したシール部材３０は、ピン通し部として、４つの口金ピン挿通孔２１ｂを囲む開口部３０ａが設けられたシート状に形成したものである。そして、端子金具２４を覆ってソケット本体２１にねじ２６により連結された蓋部２２を備え、ねじ２６はその頭部と口金対向壁部２１ａとの間にシール部材３０を挟んでこのシール部材３０を挿通して設けられている。そのため、ソケット本体２１に蓋部２２を取付けるためのねじ２６の挿通部分もまた、シール部材３０によって水密に保つことができ、このねじ２６の挿通部分を介してソケット本体２１内に浸水することもない。このように、ソケット本体２１に蓋部２２を取付けるために設けられたねじを介してソケット本体２１内に浸水することにより生じる端子金具２４同士の短絡事故を防ぐことができる。
【００３１】
この実施形態のランプソケット２０では、シール部材３０が、４つの口金ピン挿通孔を囲む単一のピン通し部（開口部３０ａ）を有して形成されているので、各口金ピン１３の口金ピン挿通孔２１ｂへの挿通において、シール部材３０が抵抗となることが少なく、挿入性がよい。しかし、このように、シール部材３０の開口部３０ａは、４つの口金ピン挿通孔２１ｂを囲む形状に形成したが、シール部材３０の開口部３０ａは、口金ピン挿通孔２１ｂを２つずつ囲む形状に形成してもよい。
【００３２】
以下、図５を参照して本発明の第２の実施形態を説明する。この例では、ランプソケット２０のシート状シール部材３１は、４つの口金ピン挿通孔２１ｂに夫々対向する４つのピン通し部としての貫通孔３１ａを設けている。これらの貫通孔３１ａには、４本の口金ピン１３が個別に貫通する。
【００３３】
これら貫通孔３１ａは口金ピン１３の断面形状と同形状に形成されている。また、これら貫通孔３１ａは口金ピン挿通孔２１ｂよりも小さく、且つ、口金ピン１３が貫通する大きさに設定されている。なお、他の構成は上述した第１の実施形態と同じであるから、重複する説明は図５に同符号を付して省略する。
【００３４】
このランプソケット２０では、シール部材３１が、４つの口金ピン挿通孔に個別に連通する複数のピン通し部（貫通孔３１ａ）を有して形成されている。そのため、第１の実施形態と比べて、ランプ１０の口金端面１２ａとシート状のシール部材３１との接触面積、及び、ランプソケット２０の口金対向壁部２１ａとシール部材３１の接触面積が大きい。よって、ランプ口金１２とランプソケット２０の間からの水や埃等が侵入するのを防ぐことができる。
【００３５】
以下、図６及び図７を参照して本発明の第３の実施形態を説明する。この例では、シート状のシール部材３２の口金ピン挿通孔２１ｂに夫々対向する部分を、他の領域よりも厚さが薄い薄肉部３２ａに形成したものである。薄肉部３２ａは、口金ピン１３を口金ピン挿通孔２１ｂに挿通する過程で、この口金ピン１３により容易に破ることができる肉厚に設定されている。
【００３６】
このシール部材３２は、口金ピン１３を口金ピン挿通孔２１ｂに挿通する過程で、この口金ピン１３により破られる。そして、図７に示したように、破れた薄肉部３２ａの縁が口金ピン１３に密着した状態で、口金ピン１３はランプソケット２０と接続する。なお、他の構成は上述した第１の実施形態と同じであるから、重複する説明は図６及び図７に同符号を付して省略する。
【００３７】
このランプソケット２０では、シール部材３２は、４つの口金ピン挿通孔２１ｂを個別に覆うとともに、ランプ１０の装着に伴って口金ピン１３で破られる薄肉部を有して形成されている。そのため、第１の実施形態と比べて、ランプ１０の口金端面１２ａとシート状のシール部材３２との接触面積、及び、ランプソケット２０の口金対向壁部２１ａとシール部材３２の接触面積が大きく、しかも、破れた薄肉部３２ａの縁が口金ピン１３に密着した状態で、口金ピン１３とランプソケット２０とを接続することができる。よって、ランプ１０のランプ口金１２とランプソケット２０の間からの水や埃等の侵入を防ぐことができる。
【００３８】
なお、上記第１〜第３の実施形態では、ランプソケット２０では、ランプ１０とランプソケット２０との接続以前において、シール部材３０，３１，３２はランプソケット２０の口金対向壁部２１ａに固定して設けているが、シール部材３０，３１，３２はランプ口金１２の口金端面１２ａに固定して設けておいてもよい。
【００３９】
以下、図８を参照して本発明の第４の実施形態を説明する。この例では、ランプソケット２０のシール部材３３をリング状に形成したものである。ランプソケット２０の口金対向壁部２１ａには、４つのピン挿通孔を囲んでリング状の溝部（図示せず）が形成されている。シール部材３３はこの溝部に嵌め込まれて粘着材等で固定されている。なお、他の構成は上述した第１の実施形態と同じであるから、重複する説明は図８に同符号を付して省略する。
【００４０】
このランプソケット２０は、シール部材３３を４つのピン挿通孔を囲むリング状に形成したものであるため、第１の実施形態と比べて材料費が少なくてよく、低コストで製造することができる。
【００４１】
以下、図９を参照して本発明の第５の実施形態を説明する。この照明器具１では、シール部材３４はランプ口金１２の口金ピン１３が突出した口金端面１２ａに取付けられている。
【００４２】
このシール部材３４はリング状に形成されている。ランプ口金１２の口金端面１２ａには、４つの口金ピン１３を囲んでリング状の溝部（図示せず）が形成されており、シール部材３４はこの溝部に嵌め込まれて粘着材等で固定されている。この実施形態では、ランプソケット２０に備えられていたシール部材が省略されている。なお、他の構成は、上述した第１の実施形態と同じであるから、重複する説明は図９に同符号を付して省略する。
【００４３】
この照明器具１は、Ｕ字状バルブ１１に、４本の口金ピン１３が突出するランプ口金１２が設けられたランプ１０と、４本の口金ピン１３が夫々挿通する４つの口金ピン挿通孔２１ｂが形成された口金対向壁部２１ａを有するソケット本体２１及びこのソケット本体２１に収容され、口金ピン挿通孔２１ｂを通った口金ピン１３と夫々接続する４つの端子金具２４を有して、ランプ口金１３が着脱自在に接続されるランプソケット２０と、ランプ口金１２の口金ピン１３が突出した口金端面１２ａに取付けられ、ランプ１０がランプソケット２０に装着された状態で、口金端面１２ａと口金対向壁部２１ａとの間に挟まれて、４本の口金ピン１３をシールするシール部材３４とを具備したものである。この照明器具１では、口金端面１２ａに取付けたシール部材３４により、水分や埃等が侵入するのを防ぐことができる。したがって、この照明器具１によれば、屋外或いは湿気の多い環境下、若しくは埃が多い環境下でも良好に使用することができ、汎用性が高い。そして、このような、防水・防塵機能は、片口金ランプ１０を有した照明器具１であるため、バルブ１１の長さのばらつきに影響されずに発揮できる。
【００４４】
【発明の効果】
請求項１に係る発明によれば、口金対向壁部に取付けたシール部材により、口金ピンをシールしたので、水分や埃等に晒される環境下でも、水分や埃の侵入のおそれがなく使用でき、汎用性が高いランプソケットを提供できる。そして、このような、防水・防塵機能は、片口金ランプ用のランプソケットであるため、バルブの長さのばらつきに影響されずに発揮できる。
【００４５】
請求項２に係る発明によれば、請求項１のランプソケットを備えるので、水分や埃等に晒される環境下でも使用でき、汎用性が高い照明器具を提供できる。
【００４６】
請求項３に係る発明によれば、口金端面に取付けたシール部材により、水分や埃等が侵入するのを防ぐことができるので、汎用性が高い照明器具を提供できる。そして、このような、防水・防塵機能は、片口金ランプ用のランプソケットであるため、バルブの長さのばらつきに影響されずに発揮できる。
【図面の簡単な説明】
【図１】  （Ａ）は本発明の第１の実施形態に係る照明器具を一部切り欠いて示す側面図。（Ｂ）は図１（Ａ）中Ｘ−Ｘ線に沿って示す断面図。
【図２】  図１の照明器具が備える本発明の第１の実施形態に係るランプソケットを示す正面図。
【図３】  図２中Ｙ−Ｙ線に沿って示す断面図。
【図４】  図２のランプソケットのランプピン挿通孔付近を拡大して示す断面図。
【図５】  本発明の第２の実施形態に係る照明器具が備えるランプソケットを示す正面図。
【図６】  本発明の第３の実施形態に係る照明器具が備えるランプソケットを示す正面図。
【図７】  図６のランプソケットの口金ピン挿通孔付近を示す断面図。
【図８】  本発明の第４の実施形態に係る照明器具が備えるランプソケットを示す正面図。
【図９】  本発明の第５の実施形態に係る照明器具が備えるランプ口金の口金端面を示す正面図。
【符号の説明】
１…照明器具、  ３…シャーシ、  ５…点灯装置、  １０…片口金型ランプ、１１…バルブ、  １２…ランプ口金、  １２ａ…口金端面、  １３…口金ピン、  ２０…ランプソケット、  ２１…ソケット本体、  ２１ａ…口金対向壁部、２１ｂ…口金ピン挿通孔、２４…端子金具、  ３０，３１，３２，３３，３４…シール部材
【図１】
0004069644.tif 000002
【図２】
0004069644.tif 000003
【図３】
0004069644.tif 000004
【図４】
0004069644.tif 000005
【図５】
0004069644.tif 000006
【図６】
0004069644.tif 000007
【図７】
0004069644.tif 000008
【図８】
0004069644.tif 000009
【図９】
0004069644.tif 000010